(57)【要約】【課題】躯体面に置き敷きでき、かつ、躯体面に水勾配等の傾斜や不陸或いはクラックなどがある場合でも、容易に脚を垂直に保持でき、床材を水平に施工し得る床支持部材を提供する。【解決手段】本発明の床支持部材１は、貫通孔６を有し、上面乃至下面に球面状又は円弧状に凹設又は凸設した摺動面部７、８を形成したベース材２と、挿通孔９、１０を有し、上記摺動面部７、８の面上に摺動可能に接面する摺動部材３、４と、ベース材２と摺動部材３、４を挿通して固定可能な脚部材５とを備えた構成とする。【選択図】  図２
2004308345.tif 000002
【特許請求の範囲】
【請求項１】
貫通孔を有し、上面乃至下面を球面状又は円弧状に凹設又は凸設した摺動面部として形成したベース材と、挿通孔を有し、上記摺動面部の面上に摺動可能に接面する摺動部材と、ベース材と摺動部材を挿通して固定可能な脚部材とを備えた構成を有する床支持部材。
【請求項２】
ベース材に上方摺動面部及び下方摺動面部を形成し、両面に接面摺動する上方摺動部材と下方摺動部材とを有してなる請求項１に記載の床支持部材。
【請求項３】
ベース材の貫通孔を脚部材がゆるく挿通する径で形成してなる請求項１又は２に記載の床支持部材。
【請求項４】
脚部材と下方摺動部材を一体に形成した請求項２又は３に記載の床支持部材。
【発明の詳細な説明】
【０００１】
【発明の属する技術分野】
本発明は、下地床上に外装の床材を設置するのに好適な床支持部材に関する。
【０００２】
【従来の技術】
近年、木質系の床材は室内に限らず、高耐久性木材を使用することにより建物の屋外にもウッドデッキなどとして使用されている。この床材を屋上等に設置する際には、図６に示すように、屋上等の躯体面５１に防水層５２を施工し、これを保護するためにコンクリート５３をその上面に敷設してから、コンクリート５３に孔５４を穿設する。その孔５４にエポキシ等の接着剤を充填し、これに脚５５となるボルト等を垂直に立ててコンクリート５３に固定してから、脚５５の上部に根太材５６、大引き材等を取り付け、その上面に木質系のデッキ材５７を釘、ネジなどで固定して組み立てるものである。
このような床支持部材の公知技術文献としては、例えば特許文献１や特許文献２がある。
【０００３】
【特許文献１】
特開平１０−２２７０８９号公報
【特許文献２】
特開２０００−１２０２５３号公報
【０００４】
しかし、最近では、建物の重量を低減したり、工期を短縮したりする目的で防水層上にコンクリートを敷設せず、防水層を露出させたままにしている場合もある。このような場合では、脚になるボルト等を立てようとすると、防水層に孔を開けることとなり、漏水の原因となってしまう。
そこで、図７に示すように、孔６１を穿設した矩形状のベース材６２に脚６３となるボルト等を挿通して固定し、ベース材６２を防水層６４上に接着剤などにより固着して脚６３を固定する方法、いわゆる置き敷き工法が採用されている。
また、室内においても、ＯＡフロアとし、或いは床の遮音性能を向上させ、床暖房を行うために、二重床システムを採用するケースが増加しているが、この場合でも脚となるボルト等を固定したベース材を躯体面に設置した上で、上部に根太材等を固定し、木質系や塩ビ系床材を張る置き敷き工法を採用している。
【０００５】
【発明が解決しようとする課題】
上記置き敷き工法は、躯体面を傷つけずに容易に施工することができるが、屋上等の上面は、雨水等が流れやすいように水勾配が設けられていることが多く、また、室内でも躯体面の不陸或いはクラックなどがあり、このような箇所にベース材を設置すると脚となるボルト等も傾いてしまう。
そこで、床材を水平に施工するために、例えばベース材の下面に楔形状のスペーサを挿入したり、モルタル等を躯体面に流したりして水平となるように調整していたが、このようにすると、振動や外力でスペーサが外れるおそれがあり、また施工に手間がかかるという問題が生じていた。
【０００６】
本発明は、上記課題に鑑み、躯体面にボルト等を埋め込み固定することなく置き敷きでき、かつ、躯体面に水勾配等の傾斜や不陸或いはクラックなどがある場合でも、容易に脚を垂直に保持でき、床材を水平に施工し得る床支持部材を提供する。
【０００７】
【課題を解決するための手段】
上記課題を解決するために、本発明は、貫通孔を有し、上面乃至下面部を球面状又は円弧状に凹設又は凸設した摺動面部として形成したベース材と、挿通孔を有し、上記摺動面部の面上に摺動可能に接面する摺動部材と、ベース材と摺動部材を挿通して固定可能な脚部材とを備えて床支持部材を構成したことを特徴とする。
摺動部材は、摺動面部の上下両面に接面する上方及び下方摺動部材として形成するのが好ましい。
このようにすることにより、ベース材に対して適宜角度を持って脚部材を固定することが可能となり、ベース材が傾斜して設置されても脚部材を垂直に保持することができる。
また、ベース材と脚部材の角度を変更するに際しても、摺動部材を用いてベース材を挟んでナット等で締め付けることにより、脚部材を強固にベース材に固定することができる。
【０００８】
ベース材の貫通孔は少なくとも一方向に長孔となるように形成し、或いは全周方向に脚部材がゆるく挿通する径で形成するのが好ましい。
また、脚部材及び摺動部材、特に下方摺動部材を一体に形成してもよく、これにより、部品数を少なくし、上記と同様の効果が得られる。
【０００９】
【発明の実施の形態】
以下に、本発明の一実施例を図面を用いて説明する。
図１は、本発明の床支持部材の一実施例の分解斜視図、図２は、図１の床支持部材の取り付け状態を示した側断面図、図３及び図４は、本発明の床支持部材の変形例を示した側断面図、図５は、ベース材の別の一例を示した斜視図である。
【００１０】
本発明の床支持部材１は、ベース材２、摺動部材として上方摺動部材３及び下方摺動部材４、脚部材５を主な構成として備えている。
【００１１】
ベース材２は、図１又は図２に示すように、脚座として機能し得る適宜大きさの略直方体状をしており、略中央には上下方向に貫通孔６を穿設し、ベース材２の上面及び下面の貫通孔６の開口部周囲には、摺動面部として上方摺動面部７及び下方摺動面部８を設けている。
ベース材２の材質は、プラスチック、木材、金属などでよく、特に限定するものではない。
また、本実施例では、ベース材２を略直方体状としたが、略円柱状や略十字状などとしてもよく、使用状況に応じて変形しても構わない。
【００１２】
貫通孔６の直径は、脚部材５の直径よりも大きく穿設し、脚部材５がベース材２に対して若干角度をずらせて傾斜できるように形成する。
貫通孔６は、脚部材５が適宜角度に傾斜させることができればよいため、図２（Ｂ）したように同一径の貫通孔６とする他、同図（Ｃ）の如く上方開拡のテーパ状に形成することも可能である。
また、上方摺動面部７及び下方摺動面部８の形状に応じて下方開拡のテーパ状などに形成することもでき、これについては後述する。
本実施例では、ベース材２の略中央に貫通孔６を穿設したが、これに限定するものではなく、ベース材２の端部に穿設してもよい。
【００１３】
上方摺動面部７は、ベース材２の上面の貫通孔６の開口部周囲を略矩形状に陥没させ、その底面を上方に凸設した球面状に形成している。上方摺動面部７は、貫通孔６の中心線の下方位置の一点、図２に示すＡ点を中心とした球面状となるように形成する。
【００１４】
下方摺動面部８は、ベース材２の下面の貫通孔６の開口部周囲を略矩形状に陥没させ、その底面を上方に凹設した球面状に形成している。下方摺動面部８は、上記上方摺動面部７の中心点と同一の中心点、つまり図２に示すＡ点を中心とした球面状となるように形成する。
また、下方摺動面部８は、脚部材５を取り付けた際、脚部材５の下端が下方に突出しないような深さに設けるようにする。
【００１５】
本実施例では、上方摺動面部７を上方に凸設、下方摺動面部８を上方に凹設した球面状の形状としているが、貫通孔６の中心線上の一点を中心とした形状であれば他の形状でもよく、例えば、図３に示したように、貫通孔６の中心線上の上方の一点、Ｂ点を中心として上方摺動面部７を下方に凹設し、下方摺動面部８を下方に凸設した形状としてもよく、また、図４に示したように、貫通孔６内の中心線上の一点、Ｃ点を中心として上方摺動面部７を上方に凸設し、下方摺動面部８を下方に凸設し、両摺動面部が一つの球体の一部をなすような形状としてもよい。
また、このような形状とした場合、前記貫通孔６の形状としては、図２〜４の各図（Ｂ）に示すように、同一径に穿設する他、図３に示すように、同図（Ｃ）の如く下方開拡のテーパ状とすることができ、図４に示すように、同図（Ｃ）の如く貫通孔６の中間を窄ませ、両開口部に向け開拡したテーパ状などのように形成することができる。
【００１６】
さらに、図５は上記とは異なるベース材２の実施形態であり、上方及び下方摺動面部７、８を一方向にのみ円弧状に湾曲させた湾曲面として形成したものである。この一方向は躯体面の水勾配方向に合わせて使用することができる。
このような一方向の湾曲面形状は、前記球面形状と同様に陥没形成し、上方摺動面部７は上方に凸設した円弧状に形成し、下方摺動面部８は上方に凹設した円弧状に形成し、また、図示しないが、図３の如く、上方摺動面部７を下方に円弧状に凹設させ、下方摺動面部８を下方に凸設させてもよく、図４の如く、上方に円弧状に凸設させ、下方摺動面部８を下方に円弧状に凸設させてもよい。
【００１７】
上方摺動部材３は、図１又は図２に示すように、略矩形状板材の下面を上方摺動面部７に接面可能な球面状に凹設して、上方摺動面部７上を摺動可能とし、略中央には脚部材５をガタつかず挿通できるような直径の挿通孔９を穿設している。
上方摺動部材３の材質は、プラスチック、木材、金属など特に限定するものではない。また、本実施例では、上方摺動部材３を略矩形状としたが、これに限定するものではなく、略円形状や六角形状などの多角形状としてもよく、脚部材５とベース材２を強固に固定するためには、上方摺動面部７との接地面を広くとれる形状とするのが好ましい。
また、図３で示したように、上方摺動面部７を凹設した場合は、それに対応させて上方摺動部材３を球面状に凸設させ、図５で示したように、上方摺動面部７を円弧状に凸設した場合は、それに対応させて上方摺動部材３を円弧状に凹設させて形成する。
【００１８】
下方摺動部材４は、図１又は図２に示すように、略矩形状板材の上面を下方摺動面部８に接面可能な球面状に凸設して、下方摺動面部８上を摺動可能に形成し、略中央には、脚部材５をガタつかず挿通できるような直径の挿通孔１０を穿設してある。また、挿通孔１０の下面の側にはナット１５等を嵌入できる角溝１１を設けてある。
下方摺動部材４の材質は、上方摺動部材３と同様とする。また、形状も略矩形状の外、略円形状や六角形状などの多角形状としてもよく、脚部材５とベース材２を強固に固定するためには、下方摺動面部８との接地面を広くとれる形状とするのが好ましい。
また、図３で示したように、下方摺動面部８を下方に凸設した場合は、それに対応させて下方摺動部材４を球面状に凹設させ、図５で示したように、下方摺動面部８を円弧状に上方に凹設した場合は、それに対応させて下方摺動部材４を円弧状に凸設させて形成する。
【００１９】
脚部材５は、適宜長さのボルトであり、本実施例では、全長に渡ってネジを切ってあるが上方及び下方にのみネジを切るようにしてもよい。
なお、脚部材５と下方摺動部材４は、一体に形成してもよい。
【００２０】
以下に、上記床支持部材１を使用した一例として木質系デッキの施工方法を説明する。
脚部材５の下方からナット１２を螺着し所定の位置まで移動させ、ワッシャー１３、１４を介装してから上方摺動部材３を脚部材５に取付ける。その上で、ベース材２の貫通孔６に脚部材５を挿通し、ベース材２の下面側から脚部材５に下方摺動部材４を取り付け、ナット１５にて締結する。こうしてナット１５を角溝１１に嵌入させるようにし、またベース材２の下面から脚部材５の下端が突出しないようにする。この際ナット１２を上方摺動部材３及び下方摺動部材４が摺動できるように軽く締結しておき、脚部材５が適宜角度に調整できるようにしておく。
脚部材５と下方摺動部材４を一体に形成した場合は、脚部材５の上方からベース材２を取り付け、ワッシャーを介装してナットを螺着すればよい。
【００２１】
脚部材５の上方には、ナット１６を螺着して所定の位置まで移動させ、その上側にフランジ状の円板１７と挿通孔１９付きの根太支持部材１８を挿通して取り付け、この上に根太材２０を支持できるようにする。
根太支持部材１８の形状は、特に限定するものではなく、断面略コの字状に折曲した板材などでもよい。
このような床支持部材１を複数組準備しておき、躯体面（図２では建物の屋上面２１に防水層２２を敷設してあり、約１／５０の水勾配を有する面としてある）上に所定間隔で配置していく。配置箇所は、適宜間隔で配置すればよく、例えば、木質系デッキを施工する場合は、一方向に９００ｍｍ間隔で配置し、直交方向には４５０ｍｍの間隔で配置するようにする。
配置する際には、ベース材２の下面に、接着剤、粘着剤などを塗布しておき躯体面に固着することができる。
【００２２】
床支持部材１を配置し終えたら、脚部材５の上方に設置した複数の根太支持部材１８に根太材２０を架け渡し、ナット１６を回転させ根太材２０の高さが揃うように調整する。また、水準器等を用いて根太材２０が水平となるように脚部材５の角度を調整する。この際、上方摺動面部７及び下方摺動面部８は、中心点を同じくした球面状又は円弧状に形成されているので、上方摺動部材３及び下方摺動部材４は面上を自由に摺動することができる。
根太材２０を水平にしたところで、軽く締結しておいたナット１２を強固に締結することにより、脚部材５を垂直に保持してベース材２に固定することができる。
このようにして、全ての脚部材５をベース材２に固定したら、根太材２０の上方よりワッシャー２３、２４を介装してナット２５を締結して根太材２０を固定する。根太材２０上に木質系のデッキ材２６を複数本架け渡し、釘、ネジなどで根太材２０に固定することにより木質系デッキを施工することができる。
なお、本発明は、木質系以外の種々材質の外装の床面を構成する床支持部材として用いられる。
【００２３】
【発明の効果】
本発明は、貫通孔を有し、上面乃至下面を凹設又は凸設した摺動面部を形成したベース材と、挿通孔を有し、摺動面部の面上に摺動可能に接面する摺動部材と、ベース材と摺動部材を挿通して固定可能な脚部材とを備えた床支持部材とすることにより、躯体面に水勾配等の傾斜や不陸或いはクラックなどがある場合でも、容易に脚を垂直に保持でき、床材を水平に施工できるものとなる。
【図面の簡単な説明】
【図１】本発明の床支持部材の一実施例の分解斜視図である。
【図２】（Ａ）は、図１の床支持部材の取り付け状態を示した側断面図、（Ｂ）は、（Ａ）の貫通孔部分の拡大断面図、（Ｃ）は、貫通孔の一変形例の拡大断面図である。
【図３】（Ａ）は、本発明の床支持部材の一変形例を示した側断面図、（Ｂ）は、（Ａ）の貫通孔部分の拡大断面図、（Ｃ）は、貫通孔の一変形例の拡大断面図である。
【図４】（Ａ）は、本発明の床支持部材の別の変形例を示した側断面図、（Ｂ）は、（Ａ）の貫通孔部分の拡大断面図、（Ｃ）は、貫通孔の一変形例の拡大断面図である。
【図５】ベース材の別の一実施例を示した斜視図である。
【図６】従来の床支持部材の一例を示した側断面図である。
【図７】従来の床支持部材の他の一例を示した側断面図である。
【符号の説明】
１  床支持部材
２  ベース材
３  上方摺動部材
４  下方摺動部材
５  脚部材
６  貫通孔
７  上方摺動面部
８  下方摺動面部
９  挿通孔
１０  挿通孔
１１  角溝
１２  ナット
１３  ワッシャー
１４  ワッシャー
１５  ナット
１６  ナット
１７  円板
１８  根太支持部材
１９  挿通孔
２０  根太材
２１  躯体面
２２  防水層
２３  ワッシャー
２４  ワッシャー
２５  ナット
２６  デッキ材
５１  躯体面
５２  防水層
５３  コンクリート
５４  孔
５５  脚
５６  根太材
５７  デッキ材
６１  孔
６２  ベース材
６３  脚
６４  防水層
【図１】
2004308345.tif 000003
【図２】
2004308345.tif 000004
【図３】
2004308345.tif 000005
【図４】
2004308345.tif 000006
【図５】
2004308345.tif 000007
【図６】
2004308345.tif 000008
【図７】
2004308345.tif 000009